(57)【特許請求の範囲】
【請求項１】
飲料供給装置本体とカップ保持具とから成り、カップ保持具は、飲料供給装置本体の飲料注出部に取り付けられる支持体と、カップ受台とを有し、前記支持体は、上部に設けた引掛部と上下方向に長い長孔よりなる軸孔とを有し、前記カップ受台は、前記軸孔により支持されるカップ受台支持軸と前記引掛部に係止される係止用孔とを有し、前記支持体上で水平位置から回動し、飲料供給装置本体側に収納可能にし、該カップ受台を収納する際に、前記軸孔内のカップ受台支持軸を前記軸孔内でスライドさせることにより、前記係止用孔の前記引掛部への係止が行えるようにしたことを特徴とする飲料供給装置。
【請求項２】
飲料供給装置本体とカップ保持具とから成り、カップ保持具は、飲料供給装置本体の飲料注出部に取り付けられる支持体と、カップ受台とを有し、該カップ受台は、前記支持体上で水平位置から回動し、飲料供給装置本体側に収納可能にし、前記支持体は、飲料供給装置本体に対向する板状体の下辺部を手前に折り曲げて形成した液だれガイドを有することを特徴とする飲料供給装置。
【請求項３】
飲料供給装置本体とカップ保持具とから成り、カップ保持具は、飲料供給装置本体の飲料注出部に取り付けられる支持体と、カップ受台とを有し、前記支持体は、上部に設けた引掛部と上下方向に長い長孔よりなる軸孔と、飲料供給装置本体に対向する板状体の下辺部を手前に折り曲げて形成した液だれガイドとを有し、前記カップ受台は、前記軸孔により支持されるカップ受台支持軸と前記引掛部に係止される係止用孔とを有し、前記支持体上で水平位置から回動し、飲料供給装置本体側に収納可能にし、該カップ受台を収納する際に、前記軸孔内のカップ受台支持軸を前記軸孔内でスライドさせることにより、前記係止用孔の前記引掛部への係止が行えるようにしたことを特徴とする飲料供給装置。
【請求項４】
前記支持体上で水平位置から回動し、飲料供給装置本体側に収納可能にしたカップ保持アームを、前記カップ受台の上方位置に具えたことを特徴とする請求項１，２又は３記載の飲料供給装置。
【発明の詳細な説明】
【０００１】
【発明の属する技術分野】
本発明は、レストラン等において用いられる飲料供給装置であって、カップ保持具を有し、その上に乗せた紙カップ，グラス，陶磁器製カップ等にコーヒー，紅茶，ジュース等を注入する飲料供給装置に関するものである。
【０００２】
【従来の技術】
図１０は、従来の飲料供給装置を示す図である。図１０において、２０は飲料供給装置本体、２１はトレー、２５は紙カップ、２６は注入する飲料及び注入量を指定する操作スイッチ、２７は表示ランプ、２８は供給する飲料を示す写真、３０は支柱、３１はカップ受台である。
【０００３】
紙カップ２５等をカップ受台３１の上に置いて、上から所定量の飲料を注入する。カップ受台３１は、その一端に設けた挿通孔に支柱３０を嵌め込み、支柱３０との間を上下に滑らして、高さ調節ができるようになっている。そして、所定の高さに調節した後は、摩擦力でその位置に保持されるようになっている。また、デカンター等の大きな容器に飲料を注入する場合は、カップ受台３１を外側に回転させて、注入の邪魔にならないようにしている。そのようにして、紙カップ，グラス，陶磁器製カップ，デカンター等の各種容器に対応できるようにしている。
【０００４】
【発明が解決しようとする課題】
しかしながら、前記した従来の技術では、左側（支柱３０が右側にある場合は右側、以下同じ）に壁がある場合は、カップ受台３１を回転させることができないため、左側に壁がある場所には設置できないというように、設置場所に制約をうけるという問題点があった。また、カップ受台３１の高さ位置を摩擦力だけで保持しているため位置ずれが生じ易く、位置ずれが生じないようにするためには、高精度に製造する必要があって製造に手間がかかるという問題点もあった。
【０００５】
本発明は、そのような問題点を解決し、紙カップ，グラス，陶磁器製カップ，デカンター等の各種容器に対応できる上に、設置場所に制約を受ることなく、飲料注出部にデカンター等の大きな容器を置いて、それに飲料を注入することができ、カップ受台に位置ずれの恐れがなく、構造簡単な飲料供給装置を提供することを課題とするものである。
【０００６】
【課題を解決するための手段】
前記課題を解決するため、請求項１記載の飲料供給装置は、飲料供給装置本体とカップ保持具とから成り、カップ保持具は、飲料供給装置本体の飲料注出部に取り付けられる支持体と、カップ受台とを有し、前記支持体は、上部に設けた引掛部と上下方向に長い長孔よりなる軸孔とを有し、前記カップ受台は、前記軸孔により支持されるカップ受台支持軸と前記引掛部に係止される係止用孔とを有し、前記支持体上で水平位置から回動し、飲料供給装置本体側に収納可能にし、該カップ受台を収納する際に、前記軸孔内のカップ受台支持軸を前記軸孔内でスライドさせることにより、前記係止用孔の前記引掛部への係止が行えるようにしたことを特徴とする。
【０００７】
また、請求項２記載の飲料供給装置は、飲料供給装置本体とカップ保持具とから成り、カップ保持具は、飲料供給装置本体の飲料注出部に取り付けられる支持体と、カップ受台とを有し、該カップ受台は、前記支持体上で水平位置から回動し、飲料供給装置本体側に収納可能にし、前記支持体は、飲料供給装置本体に対向する板状体の下辺部を手前に折り曲げて形成した液だれガイドを有することを特徴とする。
【０００８】
また、請求項３記載の飲料供給装置は、飲料供給装置本体とカップ保持具とから成り、カップ保持具は、飲料供給装置本体の飲料注出部に取り付けられる支持体と、カップ受台とを有し、前記支持体は、上部に設けた引掛部と上下方向に長い長孔よりなる軸孔と、飲料供給装置本体に対向する板状体の下辺部を手前に折り曲げて形成した液だれガイドとを有し、前記カップ受台は、前記軸孔により支持されるカップ受台支持軸と前記引掛部に係止される係止用孔とを有し、前記支持体上で水平位置から回動し、飲料供給装置本体側に収納可能にし、該カップ受台を収納する際に、前記軸孔内のカップ受台支持軸を前記軸孔内でスライドさせることにより、前記係止用孔の前記引掛部への係止が行えるようにしたことを特徴とする。
【０００９】
また、請求項４記載の飲料供給装置は、前記支持体上で水平位置から回動し、飲料供給装置本体側に収納可能にしたカップ保持アームを、前記カップ受台の上方位置に具えたことを特徴とする。
【００１０】
【発明の実施の形態】
以下、本発明の実施の形態を図面に基づいて詳細に説明する。
図１は、カップ保持具の一例を示す図であり、図１（イ）は、正面図、図１（ロ）は、側面図である。図１において、１はカップ保持具、２は引掛部、３はコの字状支柱部、４は支柱部側壁、５はカップ保持アーム、６はアーム先端部、７はストッパ、８はアーム軸部、９は係止杆、１０はカップ受台、１１はカップ受台支持軸、１２は係止用孔、１３はカップ受台後端部、１４は液だれガイド、１５，１６は軸孔である。
【００１１】
このカップ保持具１は、図６に示すように、飲料供給装置本体２０の飲料注出部壁面に取り付けて用いられ、カップ受台１０，カップ保持アーム５及びそれらを支持する金属板製の支持体より成っている。カップ受台１０は、カップ受台支持軸１１により支持体両側のコの字状支柱部３に水平位置から上方へ約９０°の範囲で回動自在に取り付けられており、水平位置においては、カップ受台後端部１３がストッパとなって水平状態に保持されるようになっている。
【００１２】
カップ保持アーム５は、軽い紙カップ等をカップ受台１０に置いたとき、注入される飲料の勢いで紙カップ等が倒れるのを防止するためのものであるが、そのカップ保持アーム５も、カップ受台１０と同様に、アーム軸部８により両側のコの字状支柱部３に水平位置から上方へ約９０°の範囲で回動自在に取り付けられている。そして、水平位置においては、ストッパ７により水平状態に保持されるようになっている。図３にカップ保持アームの平面図を示す。符号は、図１のものに対応している。そのアーム軸部８に形成した溝は、アーム軸部８が支柱部側壁４の軸孔１５から抜けないようにするため、Ｅリングを嵌め込むためのものである。
【００１３】
カップ受台支持軸１１及びアーム軸部８を支持する軸孔１５，１６は、上下に長く形成している。軸孔１５，１６をそのように長孔とすることにより、図２に示すように、カップ保持アーム５やカップ受台１０を上方に折りたたんで収納するとき、引掛部２に係止杆９，係止用孔１２を係止させる際に、カップ保持アーム５，カップ受台１０を上方にスライドさせることができて、係止操作を容易にしている。そのとき、引掛部２の先端部をカール状に形成していることにより、係止操作がスムースに行えるようにしている。
【００１４】
カップ保持アーム５とカップ受台１０は一つずつ個別に持ち上げて、引掛部２に係止させることもできるが、カップ受台１０を持ち上げれば、カップ受台１０がカップ保持アーム５に当たって、カップ保持アーム５も同時に持ち上げることができ、軸孔１５，１６を長孔にした効果と相まって、ワンタッチで両方の係止操作を行うことができる。そのとき、カップ受台１０の上辺部の両角、および、アーム先端部６に丸みを持たせていることにより、動きがスムースになる。
【００１５】
カップ受台１０に形成したストッパ逃げ孔１７は、カップ受台１０を上方位置に収納するときにカップ保持アーム５のストッパ７がそこに入るようにして、カップ受台１０がコの字状支柱部３，３の間で、それらの上面を結ぶ面からできるだけ突出しないようにしている。その際、コの字状支柱部３，３の上面を結ぶ面内に完全に納まるようにすればより望ましい。また、センター孔１８は、カップ受台１０上にカップ類を置く際の位置を指示する目印になると共に、飲料がこぼれた場合に、こぼれた飲料を下に落としてカップ受台１０の上に溜まらないようにするための排出孔ともなる。
【００１６】
次に、飲料供給装置本体２０へのカップ保持具１の支持について説明する。
図４は、飲料供給装置本体のカップ保持具支持部の一例を示す図であり、図５は、カップ保持具の取り付け方法説明図である。
図４，図５において、符号１，２，３，１４は、図１，図２のものに対応し、２０は飲料供給装置本体、２１はトレー、２２はカップ保持具支持部、２３はフック、２４はピンである。
【００１７】
カップ保持具支持部２２は、金属板を加工して上下方向に複数のフック２３が形成され、飲料供給装置本体２０の飲料注出部壁面に溶接等により接合されている。このフック２３に、カップ保持具１のコの字状支柱部３に設けたピン２４を係合させることにより、カップ保持具１を飲料供給装置本体２０に取り付ける。そして、ピン２４を係合させるフック２３を上か下かに変えることにより、カップ保持具１の高さ位置を変えることができる。
【００１８】
それを図に示すと、図６，図７のようになる。図６は、２つの紙カップを同一高さに置いた状態を示す図であり、図７は、２つの紙カップを異なる高さに置いた状態を示す図である。このようにして、カップ保持具１の係止位置を変えることにより、紙カップ２５等のサイズに応じてカップ受台１０の高さ位置を調節する。さらに、フック２３を上下２段だけでなく、上下方向に３段以上設ければ、より細かい高さ調節が可能となる。
【００１９】
また、図８に示すように、カップ保持アーム５とカップ受台１０を上方位置に収納すれば、トレー２１の上に広いスペースができるため、そこにデカンター２９を置いて飲料を注入することもできる。
【００２０】
なお、上記実施形態では、アーム軸部８，カップ受台支持軸１１を支持する軸孔を長孔にして、カップ保持アーム５，カップ受台１０を引掛部２に係止させる際に、カップ保持アーム５，カップ受台１０を上にスライドさせて、係止杆９や係止用孔１２を引掛部２に係止させるようにした。しかし、カップ保持アーム５やカップ受台１０の係止手段は、それ以外にも考えられる。例えば、引掛部２に弾力性を持たせ、カップ保持アーム５，カップ受台１０を上方に回動させて引掛部２に当たったとき、引掛部２の先端部を下方に変形移動させることにより、係止杆９や係止用孔１２を弾性的に係止させるようにしてもよい。
【００２１】
また、上記実施形態では、係止をスムースに行うため、引掛部２の先端部をカール状に形成したが、カール状にすること以外に、例えば、テーパを付ける等してもよい。そしてまた、カップ保持アーム５，カップ受台１０を水平位置から上方へ回動させて収納するようにしたが、下方へ回動させて収納するようにしてもよい。
【００２２】
また、軸孔１５，１６を、単なる長孔でなく、例えば、図９（イ），（ロ）に示すように、軸孔の上部を幅広に形成すれば、その幅広部を通してアーム軸部８，カップ受台支持軸１１先端のＥリング取り付け部を出し入れすることができる。その結果、カップ保持アーム５やカップ受台１０の取り外しが簡単にできるようになる。さらに、軸の先端部を径太にした状態で軸の取り付けができるため、アーム軸部８，カップ受台支持軸１１の先端部の抜け止め用に、加工に手間がかかるＥリングを用いなくても、図９（ハ）に示すような単なるつぶし加工で済ませることもできる。
【００２３】
【発明の効果】
本発明の飲料供給装置は、次のような効果を奏する。
すなわち、請求項１記載の飲料供給装置の支持体は、上部に設けた引掛部と上下方向に長い長孔よりなる軸孔とを有し、カップ受台は、前記軸孔により支持されるカップ受台支持軸と前記引掛部に係止される係止用孔とを有し、前記支持体上で水平位置から回動して飲料供給装置本体側に収納可能にし、該カップ受台を収納する際に、前記軸孔内のカップ受台支持軸を前記軸孔内でスライドさせることにより、前記係止用孔の前記引掛部への係止が行えるようにした。その結果、カップ受台を飲料供給装置本体側へ収納可能になり、設置場所に制約を受ることなく、飲料注出部にデカンター等の大きな容器を置いて、それに飲料を注入することができる。また、カップ受台に位置ずれの恐れがなく、構造も簡単である。しかも、カップ受台支持軸の軸孔を上下方向に長い長孔とし、カップ受台を収納する際に、前記軸孔内のカップ受台支持軸を軸孔内でスライドさせるようにして、カップ受台に設けた係止用孔が引掛部へ係止できるようにしたので、カップ受台をワンタッチで簡単に収納することができる。
【００２４】
また、請求項２記載の飲料供給装置は、カップ受台を、支持体上で水平位置から回動し、飲料供給装置本体側に収納可能にするとともに、前記支持体は、飲料供給装置本体に対向する板状体の下辺部を手前に折り曲げて形成した液だれガイドを設けた。その結果、カップ受台を飲料供給装置本体側へ収納可能になり、設置場所に制約を受ることなく、飲料注出部にデカンター等の大きな容器を置いて、それに飲料を注入することができる。また、カップ受台に位置ずれの恐れがなく、構造も簡単である。その上、カップ等への注入時に飲料がこぼれても、こぼれた飲料は、飲料供給装置本体の壁から離れて落下するので、飲料供給装置本体の壁を汚すことがなくなる。
【００２５】
また、請求項３記載の飲料供給装置は、支持体が、上部に設けた引掛部と上下方向に長い長孔よりなる軸孔と、飲料供給装置本体に対向する板状体の下辺部を手前に折り曲げて形成した液だれガイドとを有し、カップ受台は、前記軸孔により支持されるカップ受台支持軸と前記引掛部に係止される係止用孔とを有し、前記支持体上で水平位置から回動し、飲料供給装置本体側に収納可能にし、該カップ受台を収納する際に、前記軸孔内のカップ受台支持軸を前記軸孔内でスライドさせることにより、前記係止用孔の前記引掛部への係止が行えるようにした。その結果、カップ受台を飲料供給装置本体側へ収納可能になり、設置場所に制約を受ることなく、飲料注出部にデカンター等の大きな容器を置いて、それに飲料を注入することができる。また、カップ受台に位置ずれの恐れがなく、構造も簡単である。しかも、カップ受台支持軸の軸孔を上下方向に長い長孔とし、カップ受台を収納する際に、前記軸孔内のカップ受台支持軸を軸孔内でスライドさせるようにして、カップ受台に設けた係止用孔が引掛部へ係止できるようにしたので、カップ受台をワンタッチで簡単に収納することができる。その上、カップ等への注入時に飲料がこぼれても、こぼれた飲料は、飲料供給装置本体の壁から離れて落下するので、飲料供給装置本体の壁を汚すことがなくなる。
【００２６】
また、請求項４記載の飲料供給装置は、前記支持体上で水平位置から回動し、飲料供給装置本体側に収納可能にしたカップ保持アームを、前記カップ受台の上方位置に設けたので、上記の効果に加えて、軽量な紙カップに飲料を注入する際に紙カップが転倒するのを防止することができる。
【図面の簡単な説明】
【図１】  カップ保持具の一例を示す図
【図２】  カップ保持具のカップ保持アーム及びカップ受台を収納した状態を示す図
【図３】  カップ保持アームの平面図
【図４】  飲料供給装置本体のカップ保持具支持部の一例を示す図
【図５】  カップ保持具の取り付け方法説明図
【図６】  ２つの紙カップを同一高さに置いた状態を示す図
【図７】  ２つの紙カップを異なる高さに置いた状態を示す図
【図８】  デカンターを置いた状態を示す図
【図９】  軸孔及び軸の他の例を示す図
【図１０】  従来の飲料供給装置を示す図
【符号の説明】
１  カップ保持具
２  引掛部
３  コの字状支柱部
４  支柱部側壁
５  カップ保持アーム
６  アーム先端部
７  ストッパ
８  アーム軸部
９  係止杆
１０  カップ受台
１１  カップ受台支持軸
１２  係止用孔
１３  カップ受台後端部
１４  液だれガイド
１５，１６  軸孔
１７  ストッパ逃げ孔
１８  センター孔
２０  飲料供給装置本体
２１  トレー
２２  カップ保持具支持部
２３  フック
２４  ピン
２５  紙カップ
２６  操作スイッチ
２７  表示ランプ
２８  写真
２９  デカンター
３０  支柱
３１  カップ受台
【図１】
0003675908.tif 000002
【図２】
0003675908.tif 000003
【図３】
0003675908.tif 000004
【図４】
0003675908.tif 000005
【図５】
0003675908.tif 000006
【図６】
0003675908.tif 000007
【図７】
0003675908.tif 000008
【図８】
0003675908.tif 000009
【図９】
0003675908.tif 000010
【図１０】
0003675908.tif 000011